(57)【要約】【課題】アンテナ性能を確保しつつ、アンテナ接点部材とアンテナ素子の給電点とを電気的に接続し、接続部を単一のパッキン部材で防水する携帯端末装置を提供する。【解決手段】第一の筐体２０と第二の筐体３０とを回動自在に連結するヒンジ部と、第一の筐体２０内でヒンジ部近傍に配設した第一のアンテナ素子と、第二の筐体３０に配設した第二のアンテナ素子６０とヒンジ部とを電気的に接続した携帯端末装置であって、第一のアンテナ素子に給電する第一の給電点と第二のアンテナ素子６０に中継給電する第二の給電点とを有するフレキシブルプリント基板５０と、所定の間隔を隔てて隣接して配設された第一のアンテナ接点部材２５ａと第二のアンテナ接点部材２５ｂとを実装した回路基板２４と、第一の給電点と第一のアンテナ接点部材２５ａおよび第二の給電点と第二のアンテナ接点部材２５ｂとが電気的に接続された周囲に配置する防水パッキンとを設けた。【選択図】図２
2010268096.tif 000002
【特許請求の範囲】
【請求項１】
第一の筐体と第二の筐体とを回動自在に連結するヒンジ部と、第一の筐体内でヒンジ部近傍に配設した第一のアンテナ素子と、第二の筐体に配設した第二のアンテナ素子とヒンジ部とを電気的に接続した携帯端末装置であって、
前記第一のアンテナ素子に給電する第一の給電点と前記第二のアンテナ素子に中継給電する第二の給電点とを有するフレキシブルプリント基板と、
第一のアンテナ接点部材と第二のアンテナ接点部材とを実装した回路基板と、
前記第一の給電点と前記第一のアンテナ接点部材および前記第二の給電点と前記第二のアンテナ接点部材とが電気的に接続された周囲に配置された防水パッキンと、
を備えたことを特徴とする携帯端末装置。
【請求項２】
前記第一の給電点と前記第二の給電点とは、所定の間隔を隔てて隣接して配置されたことを特徴とする請求項１記載の携帯端末装置。
【請求項３】
前記第一のアンテナ素子を構成する配線パターンは、前記第二のアンテナ素子に中継する配線パターンと略直交する方向に配置されたたことを特徴とする請求項１または請求項２記載の携帯端末装置。
【請求項４】
前記第二のアンテナ素子に中継する配線パターンは、第三の給電点を有することを特徴とする請求項１ないし請求項３のいずれかに記載の携帯端末装置。
【請求項５】
前記第三の給電点は、前記ヒンジ部と導電性のバネ部材で電気的に接続されていることを特徴とする請求項１ないし請求項４のいずれかに記載の携帯端末装置。
【発明の詳細な説明】
【技術分野】
【０００１】
本発明は、アンテナを内蔵した携帯電話機などの携帯端末装置に関し、特にアンテナへ給電するための給電点の防水構造に関するものである。
【背景技術】
【０００２】
従来の電子機器における防水構造は、防水性のチューブの両端に筒状をなす端末固定部材を熱溶着で水密に取り付けた防水キャップであって、端末固定部材を電子機器の筐体に形成された貫通孔に係脱可能とし、係合時に周方向にわたって筐体の貫通孔に密着することによって防水するものが知られている（例えば、特許文献１参照）。
【０００３】
また、従来の開閉自在な携帯無線機のアンテナ構成は、上部筐体に配設された第一のアンテナ素子と下部筐体に配設されて第一のアンテナ素子とともにダイポールアンテナを構成する導体素子と、ヒンジ部近傍の下部筐体に配設された１／４〜１／２波長のモノポールアンテナを構成する第二のアンテナ素子を配置し、開閉状態の検出結果に応じて第一のアンテナ素子および第二のアンテナ素子のいずれか一方を選択するものが知られている（例えば、特許文献２参照）。
【先行技術文献】
【特許文献】
【０００４】
【特許文献１】特開２００６−２１６６８７号公報
【特許文献２】特開２００４−２２９０４８号公報
【発明の概要】
【発明が解決しようとする課題】
【０００５】
しかしながら、特許文献１に記載された従来のチューブの両端に筒状をなす端末固定部材を備えた防水キャップによる防水構造においては、チューブと端末固定部材とを熱溶着で溶着するため部品製作費が高価となる。
【０００６】
また、熱溶着後に複数の電気的接続線を挿通し、挿通後の端末固定部材を筐体の所定の貫通孔に係合するため組立作業性が悪いという課題を有していた。
【０００７】
また、特許文献２に記載された従来の開閉自在な携帯無線機においては、第一のアンテナ素子と第二のアンテナ素子の配置を示したもので、ヒンジ部近傍の下部筐体に配置した第二のアンテナ素子に関しては、Ｌ字状の導体板でヒンジ部付近に長辺部分がヒンジ軸方向に配置され、長辺は無線信号に対して１／４〜１／２波長程度長さであると記述されているが給電点の防水構造に関しては記述されていない。
【０００８】
本発明は、このような従来の課題を解決するためになされたもので、第一のアンテナ素子および第二のアンテナ素子のアンテナ性能を確保しつつ、回路基板に配設されたアンテナ接点部材とフレキシブルプリント基板に配置されたアンテナ素子への給電点とを電気的に接続し、接続部の周囲を単一のパッキン部材で確実に防水するとともに組立作業性の容易な防水構造を有する携帯端末装置を提供することを目的としたものである。
【課題を解決するための手段】
【０００９】
本発明の携帯端末装置は、第一の筐体と第二の筐体とを回動自在に連結するヒンジ部と、第一の筐体内でヒンジ部近傍に配設した第一のアンテナ素子と、第二の筐体に配設した第二のアンテナ素子とヒンジ部とを電気的に接続した携帯端末装置であって、第一のアンテナ素子に給電する第一の給電点と第二のアンテナ素子に中継給電する第二の給電点とを有するフレキシブルプリント基板と、第一のアンテナ接点部材と第二のアンテナ接点部材とを実装した回路基板と、第一の給電点と第一のアンテナ接点部材および第二の給電点と第二のアンテナ接点部材とが電気的に接続された周囲に配置された防水パッキンとを備えた構成を有している。
【００１０】
この構成により、第一の給電点と第一のアンテナ接点部材の接続部、および第二の給電点と第二のアンテナ接点部材との接続部の両方について確実に防水するとともに組立作業性の容易な防水構造とすることができる。
【００１１】
また、本発明の携帯端末装置では、第一の給電点と第二の給電点とは、所定の間隔を隔てて隣接して配置された構成を有している。
【００１２】
この構成により、第一の給電点と第一のアンテナ接点部材の接続部、および第二の給電点と第二のアンテナ接点部材との接続部の両方について、接続部の周囲を単一のパッキン部材で確実に防水するとともに組立作業性の容易な防水構造とすることができる。
【００１３】
また、本発明の携帯端末装置では、第一のアンテナ素子を構成する配線パターンは、第二のアンテナ素子に中継する配線パターンと略直交する方向に配置された構成を有している。
【００１４】
この構成により、フレキシブルプリント基板をヒンジ部の軸方向に収納することができ省スペース化が図れる。
【００１５】
また、本発明の携帯端末装置は、第二のアンテナ素子に中継する配線パターンは、第三の給電点を有する構成を有している。
【００１６】
この構成により、第二のアンテナ素子とヒンジ部とを電気的に接続することができる。
【００１７】
また、本発明の携帯端末装置は、第三の給電点は、ヒンジ部と導電性のバネ部材で電気的に接続されている構成を有している。
【００１８】
この構成により、第三の給電点とヒンジ部とを可動な形態でかつ安定して電気的に接続することができる。
【発明の効果】
【００１９】
本発明の携帯端末装置は、第一の筐体と第二の筐体とを回動自在に連結するヒンジ部と、第一の筐体内でヒンジ部近傍に配設した第一のアンテナ素子と、第二の筐体に配設した第二のアンテナ素子とヒンジ部とを電気的に接続した携帯端末装置であって、第一のアンテナ素子に給電する第一の給電点と第二のアンテナ素子に中継給電する第二の給電点とを有するフレキシブルプリント基板と、第一のアンテナ接点部材と第二のアンテナ接点部材を実装した回路基板と、第一の給電点と第一のアンテナ接点部材および第二の給電点と第二のアンテナ接点部材とを電気的に接続された周囲に配置された防水パッキンとを備えた構成を有することにより、第一のアンテナ素子および第二のアンテナ素子のアンテナ性能を確保しつつ、第一の給電点と第一のアンテナ接点部材の接続部、および第二の給電点と第二のアンテナ接点部材との接続部の両方について確実に防水するとともに組立作業性の容易な防水構造とすることができる。
【図面の簡単な説明】
【００２０】
【図１】本発明の実施の形態における折り畳み式携帯電話機を第一のヒンジで開いた状態を示す模式的正面図
【図２】図１のＡ−Ａ断面矢視図
【図３】本発明の実施の形態におけるフレキシブルプリント基板の平面図
【図４】（ａ）本発明の実施の形態における要部の模式的拡大図（ｂ）図４（ａ）のＢ−Ｂ断面矢視図
【発明を実施するための形態】
【００２１】
以下、本発明の実施の形態の携帯端末装置について、図面を用いて説明する。
なお、本実施の形態では、携帯端末装置として折り畳み式携帯電話機を用いて説明する。
【００２２】
図１は、本発明の実施の形態における折り畳み式携帯電話機を第一のヒンジで開いた状態を示す模式的正面図である。
【００２３】
図１において、本実施の形態の折り畳み式携帯電話機１０は、第一の筐体２０と第二の筐体３０とが第一のヒンジ部４０で回動自在に連結されている。
【００２４】
第一の筐体２０には、操作キーボタンを有す操作部およびマイク（いずれも図示せず）や、携帯電話機の各種機能を実現するための回路部品が実装された回路基板２４や、第一のヒンジ部４０近傍に２ＧＨｚ帯の無線通信用アンテナとして動作する第一のアンテナ素子を形成するフレキシブルプリント基板５０などが配置内蔵されている。
【００２５】
第二の筐体３０には、液晶ディスプレイパネルまたはエレクトロルミネッセンスディスプレイパネルからなるメイン表示部３４やサブ表示部（図示せず）などが配置内蔵されている。なお、第二の筐体３０を構成する金属製の内側ケースは、ＤＴＶ受信用ダイポールアンテナとして動作する第二のアンテナ素子６０となる。
【００２６】
第一のヒンジ部４０は、第一の筐体２０と第二の筐体３０とを回動自在に連結しており、後述する枢軸４２は、高導電性の金属で形成されている。
【００２７】
以上のように構成された折り畳み式携帯電話機の内部構造ついて、図２を用いて説明する。
【００２８】
図２は、図１のＡ−Ａ断面矢視図である。
【００２９】
図２において、第一の筐体２０は、絶縁性を有する樹脂で成型された外側ケース２１と内側ケース２２と中蓋２６とで構成され、外側ケース２１と内側ケース２２とがなす空間にはフレキシブルプリント基板５０や後述の接点バネ６２などが配設されている。
【００３０】
また、内側ケース２２と中蓋２６となす空間は、後述するガスケット２７と防水パッキン２９とで止水された防水空間で携帯電話機の各種機能を実現するための回路部品が実装された回路基板２４などが配設されている。
【００３１】
第二の筐体３０は、絶縁性を有する樹脂で成型された外側ケース３１と高導電性を有し且つ軽量高強度の金属（例えば、マグネシウム合金）で成型された内側ケース３２とで構成され、金属製の内側ケース３２は、ＤＴＶ受信用ダイポールアンテナとして動作する第二のアンテナ素子６０となる。
【００３２】
金属製の内側ケース３２の開口部には液晶ディスプレイパネルまたはエレクトロルミネッセンスディスプレイパネルからなるメイン表示部３４が配設されている。
【００３３】
第二の筐体３０には、さらに第二のヒンジ部（図示せず）が内蔵されている。この第二のヒンジ部を有すことにより、第一のヒンジ部４０を閉じた状態で第二のヒンジ部のみを作動して第二の筐体３０を開閉することが可能で、メイン表示部をテレビ視聴などに最適な横長モードにすることができる。
【００３４】
第二のヒンジ部の構造に関しては、本発明の目的とするところでないため説明は省略するが第二のヒンジ部の枢軸（図示せず）は、第一のヒンジ部４０の枢軸４２と同様に高導電性の金属で形成されており、金属製の内側ケース３２と電気的に接続されている。さらに、第二のヒンジ部の枢軸は、導電性の部材（図示せず）を介して第一のヒンジ部４０の枢軸４２と電気的に接続されている。
【００３５】
第二のヒンジ部は、絶縁性を有する樹脂で成型された内側ヒンジケース３６ａと外側ヒンジケース３６ｂとで覆われている。
【００３６】
次に、フレキシブルプリント基板について、図３を用いて説明する。
【００３７】
図３は、フレキシブルプリント基板の平面図である。
【００３８】
図３において、略Ｌ字形状のフレキシブルプリント基板５０の長手方向には２ＧＨｚ帯の無線通信用アンテナとして動作する第一のアンテナ素子を構成する配線パターン５１が形成され、第一のアンテナ素子を構成する配線パターン５１の片端は、略直交する方向に配置された第一の給電点５４と接続している。
【００３９】
さらに、第一の給電点５４と所定の間隔を隔てて隣接して配置された位置に第二の給電点５５を有し、第二の給電点５５は、ＤＴＶ受信用ダイポールアンテナとして動作する第二のアンテナ素子６０に中継する配線パターン５２と接続し、配線パターン５２の終端には第三の給電点５６が配置されている。
【００４０】
次に、図４を用いて本発明の実施の形態における要部を説明する。
【００４１】
図４（ａ）は図２の要部の模式的拡大図を示し、図４（ｂ）は図４（ａ）のＢ−Ｂ断面矢視図である。
【００４２】
図４において、第一の筐体２０を構成する外側ケース（図示せず）と内側ケース２２とがなす空間内にはさらに中蓋２６が配設されており、中蓋２６の外周部下側の端面と内側ケース２２に形成された仕切り壁２２ａの端面の溝部には弾性部材で成型されたガスケット２７が全周にわたって装着され、中蓋２６で押圧されている。
【００４３】
回路基板２４の所定位置には、先端部が半球状で同高の第一のアンテナ接点部材２５ａと第二のアンテナ接点部材２５ｂが所定の間隔を隔て隣接して実装されており、第一のアンテナ接点部材２５ａの先端部と第二のアンテナ接点部材２５ｂの先端部とは、中蓋２６の開口部２６ａより外側ケース（図示せず）と内側ケース２２とがなす空間内に防水パッキン２９の厚みよりやや大きい寸法で突出している。
【００４４】
防水パッキン２９は、長円形の環状部材で両面に接着層を有す構造で、片面の接着層が中蓋２６の開口部２６ａ周辺に貼付され、他面の接着層にフレキシブルプリント基板５０が貼付される。
【００４５】
フレキシブルプリント基板５０が貼付されると、回路基板２４が配設されている領域は完全な防水空間となるとともに、第一のアンテナ接点部材２５ａの先端部はフレキシブルプリント基板５０に配置された第一の給電点５４と所定の押圧で接触し、これによってフレキシブルプリント基板５０に形成された第一のアンテナ素子を構成する配線パターン５１と回路基板２４とは電気的に接続される。
【００４６】
また、第二のアンテナ接点部材２５ｂの先端部も同様にフレキシブルプリント基板５０に配置された第二の給電点５５と所定の押圧で接触し、さらにフレキシブルプリント基板５０に配置された第三の給電点５６には、他の片端部が第一のヒンジ部４０の枢軸４２に付勢状態で接触している接点バネ６２の片端部が付勢状態で接触し、これによって第二の筐体に配置した第二のアンテナ素子６０と回路基板２４とは電気的に接続される。
【００４７】
以上のように本実施の形態の携帯端末装置によれば、第一の筐体と第二の筐体とを回動自在に連結するヒンジ部と、第一の筐体内でヒンジ部近傍に配設した第一のアンテナ素子と、第二の筐体に配設した第二のアンテナ素子とヒンジ部とを電気的に接続した携帯端末装置であって、第一のアンテナ素子に給電する第一の給電点と第二のアンテナ素子に中継給電する第二の給電点と有するフレキシブルプリント基板と、所定の間隔を隔てて隣接して配設された第一のアンテナ接点部材と第二のアンテナ接点部材を実装した回路基板と、
第一の給電点と第一のアンテナ接点部材および第二の給電点と第二のアンテナ接点部材とが電気的に接続された周囲に配置された防水パッキンとを設けたことにより、第一のアンテナおよび第二のアンテナのアンテナ性能を確保しつつ、回路基板に実装されたアンテナ接点部材とフレキシブルプリント基板に形成されたアンテナ素子の給電点とを電気的に接続し、接続部をパッキン部材で確実に防水することができる。
【００４８】
また、単一のパッキン部材を使用するため組立作業性が容易になるとともに、パッキン部材を安価に製作でき機器のコストダウンを図ることができる。
【００４９】
なお、以上の本実施の形態では、回路基板が配設された空間の防水を確保するために中蓋とフレキシブルプリント基板間に両面に接着層を有すパッキン部材を貼付するように説明したが、本発明はこれに限ることなく、例えば、片面接着層を有すパッキン部材を中蓋に貼付または接着層を有さないパッキン部材を中蓋上に配設し、フレキシブルプリント基板の背面より別の部材で押圧するようにしても良い。
【００５０】
また、以上の実施の形態では、携帯端末装置として折り畳み式携帯電話機について説明したが、これに限ることなく一体型やスライド型の携帯電話機であってもよいし、携帯電話機に限定されるものでなくデジタルカメラやＰＤＡやその他の電子機器であってもよい。
【産業上の利用可能性】
【００５１】
以上のように、本発明にかかる携帯端末装置は、アンテナ性能を確保しつつ、回路基板に実装されたアンテナ接点部材とフレキシブルプリント基板に形成されたアンテナ素子の給電点とを電気的に接続し、接続部を単一のパッキン部材で確実に防水するとともに組立作業性が容易になるという効果を有し、携帯電話機、ＰＤＡ、ノートパソコン、携帯型ゲーム機などとして有用である。
【符号の説明】
【００５２】
１０    携帯電話機
２０    第一の筐体
２１，３１    外側ケース
２２，３２    内側ケース
２２ａ    仕切り壁
２４    回路基板
２５    アンテナ接点部材
２６    中蓋
２６ａ    開口部
２７    ガスケット
２９    防水パッキン
３０    第二の筐体
３４    メイン表示部
３６    ヒンジケース
４０    第一のヒンジ部
４２    枢軸
５０    フレキシブルプリント基板
５１    配線パターン
５４    第一の給電点
５５    第二の給電点
５６    第三の給電点
６０    第二のアンテナ素子
６２    接点バネ
【図１】
2010268096.tif 000003
【図２】
2010268096.tif 000004
【図３】
2010268096.tif 000005
【図４】
2010268096.tif 000006